(57)【特許請求の範囲】
【請求項１】
底部の四方に前面壁と側面壁と後面壁とからなる壁部を有して上面を取出口とし、それぞれ同一形状である複数個の収納物を前記取出口から取り出し可能に収納した包装箱本体と、前記包装箱本体の後面壁に折り部を介して連接されて前記取出口を開閉可能に覆う蓋体とからなり、
前記包装箱本体の内部に後面壁側の辺部を折り起こして後傾状態とした受け部を有して包装箱本体の底部に敷かれた中敷きを設けるとともに、前記包装箱本体の前面壁を後面壁側に後傾させて前面壁の背部に蹴込み空間を形成して、前記蹴込み空間に差し入れられた最前位の収納物から前記受け部に位置する最後位の収納物までの複数の収納物それぞれを包装箱本体の前後方向に渡って後傾状態にして重ね合わせ配列したことを特徴とする包装箱。
【請求項２】
上記中敷きの上面には、包装箱本体の前後方向に直交する方向に亘る複数の凸条が、包装箱本体の前後方向に並べ設けられている請求項１に記載の包装箱。
【発明の詳細な説明】
【０００１】
【発明の属する技術分野】
本発明は包装箱、例えば板状菓子などの配列収納が可能な複数の収納物を収容する包装箱に関するものである。
【０００２】
【発明が解決しようとする課題】
従来から、小片状にカットされた板状菓子（例えばチョコレートからなる菓子）を収納物として複数個を収容した包装箱を最終形態とする商品では、包装箱本体内で収納物が移動し易く、収納物を収容する製造段階、出荷から小売り店舗で商品陳列を行なうまでの流通段階において、包装箱の内部で収納物が勝手に移動しないようにするために、内部に仕切りを設けて収納物それぞれを保持する工夫がなされている。
そして、板状菓子などを収容物とする商品では、仕切りの機構を簡易なものとするために、合成樹脂製シートを真空整形などして仕切りを一体に有したトレイを包装箱本体の内部に配置し、そのトレイにて収納物それぞれを保持する工夫が従来から採用されている。
【０００３】
例えば、図５に示したように、包装箱ａを有底にして四方に側壁ｂを有する包装箱本体ｃをスリーブｄに出し入れ可能にするとともに、積み重ね状態の収納物ｅに対応した凹部ｆを仕切りｇにて区画してなるトレイｈを包装箱本体ｃに配置し、前記トレイｈの凹部ｆそれぞれに収納物ｅを積み重ね状態にして収納するようにしており、上位から順に収納物ｅが取り出され、仮に一つの収納物ｅが凹部ｆに残ったとしても前記仕切りｇにて移動することなく保持されるようにする構成を有していた。
しかしながら、上述した複数個ずつの収納箇所を区画したものでは、上位に積み重ねられている収納物も仕切りにより移動しないように保持されているものであることから、包装箱を開封して最初に一つの収納物を取り出そうとしても、仕切りとの間に指先を差し入れる空間がなく、よってその収納物が取り出し難くなって商品イメージを低下させるという問題を有している。
【０００４】
また、菓子類を収容する包装箱としては紙を素材として作製されているが、収納物の移動を抑える仕切りを一体にした合成樹脂製のトレイを用いているため、この包装箱が不要となったときに、包装箱本体と前記トレイとを分別処理しなければならず、包装箱の廃棄処分に手数を要するという問題がある。
そこで本発明は上記事情に鑑み、取り出し易くした収納物の配列を仕切り部材を用いずに保持できるようにすることを課題とし、収納物を取り出し易くして商品イメージを向上させることを目的とする。
【０００５】
【課題を解決するための手段】
本発明は上記課題を考慮してなされたもので、底部の四方に前面壁と側面壁と後面壁とからなる壁部を有して上面を取出口とし、それぞれ同一形状である複数個の収納物を前記取出口から取り出し可能に収納した包装箱本体と、前記包装箱本体の後面壁に折り部を介して連接されて前記取出口を開閉可能に覆う蓋体とからなり、前記包装箱本体の内部に後面壁側の辺部を折り起こして後傾状態とした受け部を有して包装箱本体の底部に敷かれた中敷きを設けるとともに、前記包装箱本体の前面壁を後面壁側に後傾させて前面壁の背部に蹴込み空間を形成して、前記蹴込み空間に差し入れられた最前位の収納物から前記受け部に位置する最後位の収納物までの複数の収納物それぞれを包装箱本体の前後方向に渡って後傾状態にして重ね合わせ配列したことを特徴とする包装箱を提供して、上記課題を解消するものである。
そして、本発明において、上記中敷きの上面には、包装箱本体の前後方向に直交する方向に亘る複数の凸条が、包装箱本体の前後方向に並べ設けられているものとすることが良好である。
【０００６】
【発明の実施の形態】
つぎに本発明を図１から図４に示す実施の形態に基づいて詳細に説明する。
図中１は包装箱で、該包装箱１は図１に示されているように包装箱本体２と蓋体３とからなるものである。前記包装箱本体２は開放された取出口４を上面とした箱体であって、底部５の四方に前面壁６と左右の側面壁７と後面壁８とからなる壁部を有し、この四方の壁部で囲むことによって上面を前記取出口４とした収納空間９を備えている。また、前記蓋体３は前記包装箱本体２の後面壁８の上端に折り部１０を介して連接されて前記取出口４を開閉可能に覆うものであり、折り部１０を介して後面壁８に連続する天面部１１の三方の辺に前面壁１２と側面壁１３とが連接され、天面部１１が取出口４を覆ったときには前記前面壁１２が前面壁６の外方面側に重なり、側面壁１３それぞれが側面壁７の外方面側に重なるようにしている。
【０００７】
上記包装箱本体２の上記前面壁６には図１又は図２で示されているように、所要高さ位置から上端に亘る領域を後面壁８方向に後傾させた傾斜部１４が設けられており、この後傾する傾斜部１４を有することによって、前面壁６の背部に収納空間９の一部分となる蹴込み空間１５を形成している。前記蹴込み空間１５を形成した包装箱本体２の展開状態が図４に示されていて、底面部材Ａの両側辺には所要の厚みを備える上記側面壁７を折り込みによって得られるようにした側面壁部材Ｂが連接されているとともに、底面部材Ａの他の二辺の内の一辺に上記後面壁８となる後面壁部材Ｃが連接されている。そして、後面壁部材Ｃに対向する残り一辺に前面壁６となる前面壁部材Ｄが連接され、この前面壁部材Ｄが底面部材Ａ側から、前面壁６中の起立面領域となる起立面形成部位Ｅ、折り合わせて前記傾斜部１４となる二つの傾斜部形成部位Ｆ、Ｇ、前記起立面形成部位Ｅから底面部材Ａの前辺にかけて対応する係合部位Ｈで構成されていて、起立面形成部位Ｅを立て起こし、前記傾斜部形成部位Ｆ、Ｇの間からこの前面壁部材Ｄを折り返してこの傾斜部形成部位Ｆ、Ｇを重ね合わせるとともに、前記係合部位Ｈを起立面形成部位Ｅから底面部材Ａに沿わせるようにして折り入れるようにする。さらに、重ね合わされた傾斜部形成部位Ｆ、Ｇの間に、前記側面壁部材Ｂにおける前面壁部材Ｄ側のフラップＩを差入れるようにすることで、傾斜部１４と側面壁７とが連結されるようにしている。このように傾斜部形成部材Ｆ、Ｇを折り合わせし、係合部位Ｈを起立面形成部位Ｅに沿うように折り入れているため、後傾した傾斜部１４を有する前面壁６の背部に蹴込み空間１５が得られる。なお、前記傾斜部形成部位Ｆ、Ｇに亘るようにして後述する内面板１７が切り込み形成されており、この内面板１７の折込みによって後述の切り欠き２２が形成できるようにしている。
そして、このように前面壁６側を蹴込み空間１５としている収納空間９の内底部には中敷き１６が設けられている。図２に示されているように、前記中敷き１６は、蹴込み空間１５を形成するように折り込まれた前面壁６の内面板１７の下端位置から底部５の内面に沿って後面壁８側に向けて敷かれたものであり、その後面壁８側の辺部を折り起こして後面壁８の上端に後傾する状態とした受け部１８を有している。
【０００８】
この受け部１８の傾斜状態は上述した前面壁６における傾斜部１４の傾斜状態とほぼ対応しているものであり、後述する収納物の傾斜状態を両者の傾斜にて設定している。前記中敷き１６における後面壁８側の辺部は全てが折り起こされているものではなく、図１に示されているように中央部分を凸状に切り残している。そして、その切り残し部１９は先端を後面壁８の下端に突き当てて中敷き１６が後面壁８に向けて移動しないように、即ち中敷き１６の後方移動で設定角度以上に受け部１８が起きないように図られている。
また、この中敷き１６はコルゲートを上面側に表出させた方段ボール紙からなるもので、コルゲートによる凸条２０を包装箱本体２の左右方向に亘って形成し、その凸条２０が包装箱本体２の前後方向に複数が並ぶようにしている。なお、後述するようにこの中敷き１６の上に後傾した状態で収納物を並べ、配列されている収納物それぞれの下端が凸条２０に係止して、収納物の配列が崩れないようにしており、そのため、凸条２０は収納物の下端が適正に係止する高さに設定されている。
【０００９】
上述したように中敷き１６を配置した収納空間９には図示されているように、板状とした複数の収納物２１が収納されるもので、前面壁６の傾斜部１４の傾斜に合わせるとともに上記蹴込み空間１５に差入れるように位置させた収納物２１を最前位とし、上記受け部１８に沿わせるようにした収納物２１を最後位のものとして、複数の収納物２１を包装箱本体２の前後方向に渡って重ね合わせ配列した状態で収納している。そして、上述したように前面壁６における傾斜部１４の傾斜と受け部１８の傾斜とで前記収納物２１全体を後傾する状態で収納している。このように包装箱本体２の前後方向に重ね合わされた複数の収納物２１が後傾することから、その収納物２１それぞれの取出口４側の端部は階段状となって表出するようになり、収納物２１それぞれが簡単に摘み出すことができ、収容物２１の取出口４からの取り出しが容易になって商品イメージを損なうことがないように設けられている。
さらに、上記複数の収納物２１は、中敷き１６の上面に凸条２０が並べ設けられていて、この凸条２０それぞれが包装箱本体２の左右方向に亘るものであることから、この中敷き１６の上に配列される収納物２１それぞれの下端が凸条２０に係止するようになり、傾斜した収納物２１がずれ込むことがない。
【００１０】
図１中の２２は前面壁６の傾斜部１４の中央を上端から切り込んでなる切り欠きであり、この切り欠き２２から最前位に位置している収納物２１の少なくとも上端側が表出するようにしている。これによって、この最前位の収納物２１の上端に指先を掛け易くなり傾斜部１４の背部に位置する収納物２１であっても簡単に摘み出すことができるようにしている。また、図１中の２３は蓋体３における前面壁１２に設けられた差込み片であり、図３に示すように蓋体３を閉じたときにこの差込み片２３を包装箱本体２の前面壁６に設けたスリット２４に差し込んで係合させることで、蓋体３による取出口４の閉鎖状態が維持できるように図られている。さらに図１、図３中の２５は蓋体３に設けられた窓であって、この窓２５は透明フィルム２６で覆われていて、蓋体３を閉じたときに窓２５を通して包装箱１の内部が見えるようにしている。
【００１１】
【発明の効果】
以上説明した本発明により、包装箱本体に収容した複数の収納物が後傾して配列されて、前面壁と中敷きの受け部との間で収納物を挟み込み保持する状態となって収納物の並びが崩れることがなく、包装箱の蓋体を開いたときの第一印象が頗る良好なものとなる。そして、収納物それぞれの上端が階段状に表出するため、収納物それぞれの摘み出しが容易になり、商品イメージを損なうことがない。さらに、従来の仕切り一体型の合成樹脂製トレイを使用することなく複数の収納物の配列状態を維持できるようになるため、分別を行なうことなく廃棄処分が簡単になるなど、実用性に優れた効果を奏するものである。
【図面の簡単な説明】
【図１】本発明に係る包装箱の実施の形態を示す説明図である。
【図２】収納物の収納状態を断面で示す説明図である。
【図３】蓋体を閉じた状態を示す説明図である。
【図４】包装箱本体を展開した状態で示す説明図である。
【図５】従来例を示す説明図である。
【符号の説明】
１…包装箱
２…包装箱本体
３…蓋体
４…取出口
６…前面壁
８…後面壁
９…収納空間
１４…傾斜部
１５…蹴込み空間
１６…中敷き
１８…受け部
２０…凸条
２１…収納物
２２…切り欠き
【図１】
0004138265.tif 000002
【図２】
0004138265.tif 000003
【図３】
0004138265.tif 000004
【図４】
0004138265.tif 000005
【図５】
0004138265.tif 000006